(57)【特許請求の範囲】
【請求項１】
入金取引時に紙幣入出金口に投入された紙幣の金種を鑑別部で鑑別して、鑑別された金種に応じて紙幣を該当金種の紙幣収納カセットに収納し、出金取引時には前記紙幣収納カセットから紙幣を繰出し、前記鑑別部で金種の鑑別、金種毎の計数を行って紙幣入出金口から支払う自動取引装置において、
２つの前記紙幣収納カセットを同一金種の紙幣を収納するものとし、この２つ紙幣収納カセットに旧紙幣と該旧紙幣とはデザインの異なる新紙幣を混在した状態で収納して、一方の紙幣収納カセットが空になるまで、その一方の紙幣収納カセットを使用して入金、出金取引を行い、
前記一方の紙幣収納カセットが空になったとき、該当金種の総出金枚数に対する新紙幣の割合を算出して、算出した割合が基準値以上の場合、前記空になった一方の紙幣収納カセットを旧紙幣回収カセットとして、以後の出金取引では他方の紙幣収納カセットから紙幣を出金し、入金取引では該当金種の旧紙幣を前記旧紙幣回収カセットに収納すると共に、該当金種の新紙幣を前記他方の紙幣収納カセットに収納することを特徴とする自動取引装置。
【請求項２】
請求項１記載の自動取引装置において、
２金種以上の入金、出金取引を可能とし、各金種について空になった一方の紙幣収納カセットをそれぞれ旧紙幣回収カセットとした後、
或る金種の旧紙幣回収カセットが満杯になったとき、他の金種の旧紙幣回収カセットが満杯でない場合、前記満杯になった旧紙幣回収カセットに該当する金種の旧紙幣を前記他の金種の旧紙幣回収カセットに収納することを特徴とする自動取引装置。
【請求項３】
請求項１記載の自動取引装置において、
前記空になった一方の紙幣収納カセットをそれぞれ旧紙幣回収カセットとした後、前記他方の紙幣収納カセットが空になったとき、旧紙幣回収カセットに収納されている旧紙幣を出金取引で出金することを特徴とする自動取引装置。
【発明の詳細な説明】
【技術分野】
【０００１】
本発明は、新紙幣と旧紙幣を取扱う自動取引装置に関するものである。
【背景技術】
【０００２】
新たなデザインの新紙幣が発行された場合、それまで流通していた旧紙幣が流通しなくなるまでの期間、金融機関の自動取引装置はこの新紙幣と旧紙幣の両方を取扱うことになる。
このような新紙幣と旧紙幣を取扱う従来の自動取引装置として、新紙幣用の金種別紙幣カセット（金庫）の他に旧紙幣を回収するための旧紙幣回収カセット（金庫）を設けておき、入金等の取引で鑑別部により旧紙幣と鑑別された紙幣を旧紙幣回収カセットに収納するようにしたものがある（例えば、特許文献１参照）。
【先行技術文献】
【特許文献】
【０００３】
【特許文献１】特開平８−１８０２４４号公報
【発明の概要】
【発明が解決しようとする課題】
【０００４】
しかしながら、上述した従来の技術においては、入金される旧紙幣を旧紙幣回収カセットに収納するため、旧紙幣の回収を効率よく行えるという利点があるものの、旧紙幣回収カセットは旧紙幣の回収専用にしか利用しないため、カセットの利用効率が悪く、かつ旧紙幣回収カセットに収納した旧紙幣は出金に利用しないため紙幣の運用効率も悪いという問題があり、しかも旧紙幣の割合が高い入金が続いて旧紙幣回収カセットが満杯になった場合、入金取引を中止しなければならなくなるという問題がある。
本発明は、このような問題を解決することを課題とする。
【課題を解決するための手段】
【０００５】
そのため、本発明は、入金取引時に紙幣入出金口に投入された紙幣の金種を鑑別部で鑑別して、鑑別された金種に応じて紙幣を該当金種の紙幣収納カセットに収納し、出金取引時には前記紙幣収納カセットから紙幣を繰出し、前記鑑別部で金種の鑑別、金種毎の計数を行って紙幣入出金口から支払う自動取引装置において、２つの前記紙幣収納カセットを同一金種の紙幣を収納するものとし、この２つ紙幣収納カセットに旧紙幣と該旧紙幣とはデザインの異なる新紙幣を混在した状態で収納して、一方の紙幣収納カセットが空になるまで、その一方の紙幣収納カセットを使用して入金、出金取引を行い、前記一方の紙幣収納カセットが空になったとき、該当金種の総出金枚数に対する新紙幣の割合を算出して、算出した割合が基準値以上の場合、前記空になった一方の紙幣収納カセットを旧紙幣回収カセットとして、以後の出金取引では他方の紙幣収納カセットから紙幣を出金し、入金取引では該当金種の旧紙幣を前記旧紙幣回収カセットに収納すると共に、該当金種の新紙幣を前記他方の紙幣収納カセットに収納することを特徴とする。
【発明の効果】
【０００６】
このようにした本発明は、紙幣収納カセットを有効に利用することができると共に、紙幣の効率的な運用が可能になるという効果が得られ、旧紙幣の入金が多い場合でも、装置の運用あるいは入金取引を中止するような事態に陥ることを回避することができるという効果も得られ、更に空になった紙幣収納カセットを旧紙幣回収用カセットに設定した後は、この旧紙幣回収用カセットに入金紙幣のうちの旧紙幣を収納するので、旧紙幣のみを回収したい場合にも対応できるという効果が得られる。
【図面の簡単な説明】
【０００７】
【図１】第１の実施例を示すブロック図
【図２】紙幣入出金機の内部構成を示す概略側面図
【図３】記憶部に記憶される紙幣枚数カウンタを示す図
【図４】第１の実施例における取引モードを示す図
【図５】第１の実施例の作用を示すフローチャート
【図６】第２の実施例の作用を示すフローチャート
【図７】第３の実施例の作用を示すフローチャート
【発明を実施するための形態】
【０００８】
以下、図面を参照して本発明による自動取引装置の実施例を説明する。
【実施例１】
【０００９】
図１は第１の実施例を示すブロック図である。図において１は自動取引装置全体の制御を行う制御部である。２は記憶部で、制御部１が実行するプログラムが記憶されており、この記憶部２には取引処理結果等が記憶される他、後述する紙幣枚数カウンタが設定され、更に後述する取引モードも記憶されるものとなっている。
【００１０】
３は装置の背面扉の内面等に設けられた係員操作部で、係員が操作して取引モードの設定等を行う部位である。
４は装置の正面上部に設けられた顧客操作表示部であって、取引選択画面や顧客の取引操作を誘導する画面等を表示する表示部と、この表示部の表示に従って取引の選択や取引に必要な情報等を入力操作するためのタッチパネルで構成されている。
【００１１】
５はカード・レシート取扱部で、取引開始時に装置の正面上部に設けられているカード挿入返却口から挿入された顧客カード（キャッシュカード）の磁気ストライプ等から口座種別や口座番号及び顧客氏名等の口座情報を読取り、またレシートに取引明細の印字を行って顧客に発行する機能を有している。
【００１２】
６は通帳取扱部で、取引開始時に装置の正面上部に設けられている通帳挿入返却口から挿入された通帳の磁気ストライプから口座種別や口座番号及び顧客氏名等の口座情報を読取り、また通帳の開かれたページに取引明細の印字を行う機能を有している。
７は紙幣入出金機で、紙幣の入金処理機能及び出金処理機能を有しており、８は硬貨入出金機で、硬貨の入金処理機能及び出金処理機能を有している。
【００１３】
図２は紙幣処理装置７の内部構成を示す概略側面図で、図において１１は紙幣入出金口であり、入金取引時に顧客が投入した紙幣を受取り、分離して装置内部に取り込むと共に、出金取引時に紙幣を集積して顧客に支払う部位として機能する。
【００１４】
１２は鑑別部で、紙幣の金種、新旧、正損等の鑑別を行うと共に、斜行や連鎖等の搬送異常の有無の検知、及び金種が確定した紙幣の計数を行う機能を有している。
１３は一時保留部で、入金取引時に鑑別部１２で入金可能と鑑別された紙幣を入金が確定するまで一時的に保管する部位である。
【００１５】
１４ａ〜１４ｄは紙幣収納カセットで、顧客が入金した紙幣を収納する機能、及び顧客に支払う紙幣を繰出す機能を有し、これらの紙幣収納カセット１４ａ〜１４ｄは補充紙幣を収納して本装置に装填すること、及び紙幣回収のため紙幣を収納した状態で本装置から取外すことができるようになっている。更に本実施例では紙幣収納カセット１４ａと１４ｂを万円紙幣用、１４ｃと１４ｄを千円紙幣用として運用するものとし、各カセットにはそれぞれ紙幣が３０００枚収納できるものとしている。
【００１６】
１５は取忘れ紙幣収納部で、出金取引において顧客が取り忘れた紙幣を収納する部位である。
１６は損券収納カセットで、入金取引時に真券ではあるものの出金に適さない損券と鑑別された紙幣、出金に用いない五千円紙幣、二千円紙幣、及び出金取引時にリジェクト券と鑑別された紙幣を収納するカセットである。
【００１７】
１７は上述した紙幣入出金口１１、鑑別部１２、一時保留部１３、各紙幣収納カセット１４ａ〜１４ｄ、取忘れ紙幣収納部１５、及び損券収納カセット１６間を結んで紙幣を搬送する搬送路であり、この搬送路１７の分岐・合流点には紙幣の搬送方向を切替える図示しない切替え手段が設けられている。
【００１８】
図３は記憶部２に記憶される紙幣枚数カウンタを示す図で、この紙幣枚数カウンタは、紙幣の出金枚数を金種、新旧毎に記憶する出金枚数カウンタとして同図（ａ）に示したように新万円出金枚数カウンタ、旧万円出金枚数カウンタ、新千円出金枚数カウンタ、旧千円出金枚数カウンタが設定され、紙幣の入金枚数を金種、新旧毎に記憶する入金枚数カウンタとして、同図（ｂ）に示したように新万円入金枚数カウンタ、旧万円入金枚数カウンタ、新千円入金枚数カウンタ、旧千円入金枚数カウンタが設定されている。
【００１９】
図４は記憶部２に記憶される取引モードを示す図で、本実施例では万円紙幣と千円紙幣のそれぞれに取引モードを設定し、その万円紙幣取引モードと千円紙幣取引モードに対して通常取引モードを旧紙幣回収モードに切替えるものとなっている。ここで、通常取引モードとは、入金及び出金取引において新旧の紙幣を混在して扱う運用形態を指し、また旧紙幣回収モードとは、入金取引において新紙幣と旧紙幣とを別々に分けて収納する運用形態を指す。
【００２０】
このような構成を有する自動取引装置は、金融機関の営業店舗やコンビニエンスストア、ガソリンスタンド、スーパーマーケット等に設置され、金融機関が管理し維持する図示しないホストコンピュータと通信回線を介して接続されている。
ホストコンピュータは利用者の口座番号、氏名および預貯金残高情報等の顧客情報が記憶された図示しない記憶装置(顧客データベース) を有しており、自動取引装置の制御部１はホストコンピュータとデータの授受を行いながら入金、出金などの取引を行うものとなっている。
【００２１】
上述した構成の作用について説明する。
尚、以下に説明する各部の動作は、記憶部２に格納されたプログラムに基づいて制御部１により制御されるものとし、制御部１による記憶部２等からの情報の読出しやそれに基づく制御については、必要な場合を除いて省略する。
【００２２】
まず、取引の準備として、本装置の運用開始時等に紙幣収納カセット１４ａ〜１４ｄを装置に装填する。ここで紙幣収納カセット１４ａ、１４ｂには新万円紙幣と旧万円紙幣を混在させて所定の枚数、例えば２５００枚補充されているものとし、また紙幣収納カセット１４ｃ、１４ｄには新千円紙幣と旧千円紙幣を混在させて所定の枚数、例えば２５００枚補充されているものとする。また、装置の運用開始に当たって電源投入した後、図３に示した紙幣枚数カウンタをすべて「０」にクリアし、取引モードは係員が係員操作部３を操作して万円紙幣取引モード、千円紙幣取引モードとも通常取引モードに設定されるものとする。
【００２３】
この状態で以下のように取引処理が行われる。図５は第１の実施例の作用を示すフローチャートで、特に入出金処理を示ており、この図中にＳで示したステップに従って説明する。
Ｓ１：まず、顧客が顧客操作表示部４を操作して取引を選択する。
Ｓ２：制御部１は選択された取引が出金か否かを判断し、出金の場合は次のＳ３へ進み、出金でない場合はＳ１１へ進む。
【００２４】
Ｓ３：出金取引を選択した顧客がカード挿入返却口から挿入した顧客カードを取り込んでカード・レシート取扱部５により口座情報を読取り、そして顧客操作表示部４で顧客が暗証番号、支払金額を入力すると、制御部１はホストコンピュータと通信を行って、ホストコンピュータに口座情報と暗証番号及び支払金額を送り、ホストコンピュータから取引可能の旨の回答が送られてくると、制御部１は顧客により入力された支払金額に応じて次のような処理を行う。
【００２５】
例えば、支払金額が１０万円であるとすると、制御部１は記憶部に記憶されている万円紙幣取引モードを参照し、万円紙幣取引モードが通常取引モードに設定されていれば紙幣収納カセット１４ａから紙幣を１０枚繰出し、搬送路１７により鑑別部１２に搬送するが、当該自動取引装置で、入出金取引が繰り返し行われ、それにより紙幣収納カセット１４ａ内の紙幣が少なくなっていて繰出し途中で空になった場合、紙幣収納カセット１４ｂから紙幣を繰出して搬送路１７により鑑別部１２に搬送する。また、万円紙幣取引モードが旧紙幣回収モードに設定されていれば、紙幣収納カセット１４ｂから紙幣を繰出して搬送路１７により鑑別部１２に搬送する。
【００２６】
尚、ここでは万円紙幣取引モードが通常取引モードであって、紙幣収納カセット１４ａから新万円紙幣が５枚、旧万円紙幣が５枚繰出されて鑑別部１２に搬送されたものとする。
【００２７】
Ｓ４：鑑別部１２は送られてきた紙幣の金種、新旧等を鑑別すると共に、搬送異常の有無の検知を行い、そして搬送異常がなく金種が確定した紙幣を計数して、その計数結果に基づいて制御部１は新万円紙幣出金枚数カウンタと旧万円紙幣出金枚数カウンタを更新する。
すなわち、ここでは紙幣収納カセット１４ａから繰出された紙幣に搬送異常が検知されず、すべて計数されたものとして、新万円紙幣出金枚数カウンタと旧万円紙幣出金枚数カウンタにそれぞれ５枚分の紙幣の枚数「５」が加算される。
【００２８】
Ｓ５：鑑別、計数された紙幣を搬送路１７により紙幣入出金口１１に搬送して集積する。
Ｓ６：１０枚の万円紙幣を紙幣入出金口１１に集積したら、紙幣入出金口１１に設けられているシャッタを開いて顧客に紙幣を払出す。
【００２９】
Ｓ７：制御部１は紙幣収納カセット１４ａ〜１４ｄのうち出金したカセットに設けられている図示しないエンドセンサの出力等に基づいて出金したカセットが空になったか否かを確認し、空になっていない場合は当該出金処理を終了し、空になった場合は、次のＳ８に移行する。ここでは出金したカセットが紙幣収納カセット１４ａで、この紙幣収納カセット１４ａが空になったものとして説明を進めるが、このとき新万円紙幣出金枚数カウンタの値は例えば４０００、旧万円紙幣出金枚数カウンタの値は例えば１０００であったものとする。
【００３０】
Ｓ８：制御部１は新万円紙幣出金枚数カウンタと旧万円紙幣出金枚数カウンタを参照して、出金した総出金枚数に対する新万円紙幣の出金の割合を算出する。この場合、新万円紙幣出金枚数カウンタの値は４０００、旧万円紙幣出金枚数カウンタの値は１０００であるので、万円紙幣の総出金枚数は５０００であり、従って総出金枚数に対して出金した新万円紙幣の割合は８０％となる。
【００３１】
Ｓ９：制御部１は算出した新万円紙幣の割合が規定（基準）値以上かどうかを判断する。そして、新万円紙幣の割合が規定値未満の場合は当該出金処理を終了し、規定値以上の場合は次のＳ１０へ進む。ここで上記の規定値は予め設定されていて記憶部２に記憶されており、この規定値が例えば７０％に設定されている場合、出金した新万円紙幣の割合は８０％であるので、次のＳ１０へ進むことになる。
【００３２】
Ｓ１０：制御部１は空になった紙幣収納カセット１４ａを旧万円紙幣のみを収納して回収するための旧万円紙幣回収カセットとして設定し、万円紙幣取引モードを通常取引モードから旧紙幣回収モードに切替えて当該出金処理を終了するが、以後の出金取引において万円紙幣は紙幣収納カセット１４ｂから繰出される。
Ｓ１１：制御部１は選択された取引が入金か否かを判断し、入金の場合は次のＳ１２へ進み、入金でない場合はＳ１８へ進む。
【００３３】
Ｓ１２：入金取引を選択した顧客がカード挿入返却口から挿入した顧客カードを取り込んでカード・レシート取扱部５により口座情報を読取るか、または通帳挿入返却口から挿入された通帳から口座情報を読取ると、制御部１はホストコンピュータと通信を行って、ホストコンピュータに口座情報を送り、ホストコンピュータから取引可能の旨の回答が送られてくると、制御部１は紙幣入出金口１１のシャッタを開き、顧客に紙幣を投入させる。ここでは顧客が新万円紙幣と旧万円紙幣をそれぞれ１０枚ずつ紙幣入出金口１１に投入したものとする。
【００３４】
Ｓ１３：紙幣入出金口１１に投入された紙幣を図示しないセンサが検知するとシャッタを閉じ、分離手段により紙幣を一枚ずつ分離して鑑別部１２に搬送する。
Ｓ１４：鑑別部１２は送られてきた紙幣の金種、新旧等を鑑別すると共に、搬送異常の有無の検知を行い、そして搬送異常がなく金種が確定した紙幣を計数する。尚、ここでは紙幣に搬送異常が検知されず、すべて計数されたものとする。
【００３５】
Ｓ１５：鑑別、計数された紙幣を搬送路１７により一時保留部１３に搬送して集積する。
Ｓ１６：制御部１は計数結果を顧客操作表示部４に表示して顧客に確認を促し、顧客が表示内容を確認して内容を承認する旨の入力を行うと、制御部１は鑑別した紙幣の金種に応じて記憶部２に記憶されている取引モードを確認して、確認した取引モードが通常取引モードか旧紙幣回収モードかに応じ、一時保留部１３の紙幣を紙幣収納カセット１４ａ〜１４ｄに振分けて収納する。
【００３６】
すなわち、ここでは万円紙幣の入金であるので、万円紙幣取引モードが通常取引モードか旧紙幣回収モードかの確認を行う。そして通常取引モードの場合は、一時保留部１３の万円紙幣を繰出して鑑別部１２を経由させ、紙幣の新旧にかかわらず搬送路１７により紙幣収納カセット１４ａに搬送して収納し、紙幣収納カセット１４ａが満杯になった場合は、紙幣収納カセット１４ｂに搬送して収納する。また、万円紙幣取引モードが旧紙幣回収モードの場合は、一時保留部１３の紙幣を繰出して鑑別部１２に送り、鑑別部１２で旧紙幣と鑑別された万円紙幣を搬送路１７により旧万円紙幣回収カセットとして設定されている紙幣収納カセット１４ａに搬送して収納し、新紙幣と鑑別された万円紙幣を搬送路１７により紙幣収納カセット１４ｂに搬送して収納する。
【００３７】
Ｓ１７：制御部１は前記計数結果に基づいて新万円紙幣入金枚数カウンタと旧万円紙幣入枚数カウンタを更新する。
すなわち、新万円紙幣出金枚数カウンタと旧万円紙幣出金枚数カウンタにそれぞれ１０枚分の紙幣の枚数「１０」を加算し、当該出金処理を終了する
Ｓ１８：制御部１は顧客により選択されたその他の取引、例えば残高照会や通帳記帳等の取引を実行し、実行後、その取引処理を終了する。
【００３８】
尚、以上の処理は万円紙幣を例にしたものであるが、千円紙幣の入出金についても同様に処理を行うことができ、その場合、千円紙幣取引モードを通常取引モードから旧紙幣回収モードに切替えたときは紙幣収納カセット１４ｃを千円紙幣回収カセットとして設定すればよい。また、紙幣による振込取引を行う際も入金、釣銭支払のための出金が行われるが、この場合も同様に処理を行うことが可能である。
【００３９】
以上説明したように、第１の実施例では、同一金種に割当てられた２つの紙幣収納カセットのうち、一方の紙幣収納カセットが出金の繰返しにより空になった場合、紙幣の総出金枚数に対する新紙幣の出金枚数の割合を算出して、その割合が規定値を超えている場合、空になった紙幣収納カセットを旧紙幣回収用カセットに設定して、この旧紙幣回収用カセットに入金紙幣のうちの旧紙幣を収納するようにしているため、紙幣収納カセットを有効に利用することができると共に、紙幣の効率的な運用が可能になるという効果が得られ、旧紙幣の入金が多い場合でも、装置の運用あるいは入金取引を中止するような事態に陥ることを回避することができるという効果も得られ、更に空になった紙幣収納カセットを旧紙幣回収用カセットに設定した後は、この旧紙幣回収用カセットに入金紙幣のうちの旧紙幣を収納するので、旧紙幣のみを回収したい場合にも対応できるという効果が得られる。
【実施例２】
【００４０】
次に第２の実施例について説明する。この第２の実施例の構成は、第１の実施例と同様であるので、以下に作用について説明する。
図６は本発明の第２の実施例の作用を示すフローチャートで、Ｓ１からＳ１５までと、Ｓ１７及びＳ１８は第１の実施例と同様に処理が実行され、Ｓ１６の処理が異なる。
【００４１】
すなわち、この第２の実施例では、Ｓ１６において制御部１は計数結果を顧客操作表示部４に表示して顧客に確認を促し、顧客が表示内容を確認して内容を承認する旨の入力を行うと、制御部１は鑑別した紙幣の金種に応じて記憶部２に記憶されている取引モードを確認して、確認した取引モードが通常取引モードか旧紙幣回収モードかに応じ、一時保留部１３の紙幣を紙幣収納カセット１４ａ〜１４ｄに振分けて収納する。
【００４２】
ここでは万円紙幣の入金であるので、万円紙幣取引モードが通常取引モードか旧紙幣回収モードかの確認を行い、通常取引モードの場合は、一時保留部１３の万円紙幣を繰出して鑑別部１２を経由させ、紙幣の新旧にかかわらず搬送路１７により紙幣収納カセット１４ａに搬送して収納し、紙幣収納カセット１４ａが満杯になった場合は、紙幣収納カセット１４ｂに搬送して収納する。
【００４３】
また、万円紙幣取引モードが旧紙幣回収モードの場合は、一時保留部１３の紙幣を繰出して鑑別部１２に送り、鑑別部１２で新紙幣と鑑別された万円紙幣を搬送路１７により紙幣収納カセット１４ｂに搬送して収納し、そして旧紙幣と鑑別された万円紙幣を搬送路１７により旧万円紙幣回収カセットとして設定されている紙幣収納カセット１４ａに搬送して収納するが、紙幣収納カセット１４ａが満杯の場合、制御部１は千円紙幣取引モードを参照し、千円紙幣取引モードが旧紙幣回収モードであって、旧千円紙幣回収カセットとして設定されている紙幣収納カセット１４ｃが満杯でない場合は、旧万円紙幣を搬送路１７により紙幣収納カセット１４ｃに搬送して収納する。
【００４４】
但し、旧千円紙幣回収カセットとして設定されている紙幣収納カセット１４ｃも満杯の場合、または千円紙幣取引モードが通常取引モードの場合は、旧万円紙幣を紙幣収納カセット１４ｂに搬送して収納する。
尚、上記の処理は万円紙幣を例にしたものであるが、千円紙幣の入金についても同様に処理を行うことができ、また紙幣による振込取引を行う際も入金が行われるので、その場合も同様に処理を行うことが可能である。
【００４５】
以上説明したように、第２の実施例では、第１の実施例と同様の効果が得られる他、以下の効果も得られる。すなわち、この第２の実施例では、旧紙幣回収モードでの入金処理において、万円と千円の一方の紙幣回収カセットが満杯になった場合、他方の紙幣回収カセットが満杯でない場合、この他方の紙幣回収カセットに満杯になった金種の旧紙幣を収納するようにしているため、紙幣回収カセットが満杯になった金種の紙幣の入金取引を中止することなく、旧紙幣を紙幣回収カセットに収納することが可能になるという効果が得られる。
【実施例３】
【００４６】
次に第３の実施例について説明する。この第３の実施例の構成も、第１の実施例と同様であるので、以下に作用について説明する。
図７は本発明の第３の実施例の作用を示すフローチャートで、本実施例では出金の流れの中にＳ１９とＳ２０の処理を加えたものとしている。
【００４７】
すなわち、Ｓ７において、制御部１が出金した紙幣収納カセットが空になったことを確認した場合、次のＳ１９で制御部１は記憶部２に記憶されている紙幣取引モード（万円紙幣取引モード、千円紙幣取引モード）を参照し、紙幣取引モードが通常取引モードに設定されているか否かを判断し、通常取引モードに設定されている場合はＳ８へ移行するが、紙幣取引モードが旧紙幣回収モードに設定されている場合は、Ｓ２０に進んで紙幣取引モードを通常取引モードに切替える。
【００４８】
つまり、ここで紙幣取引モードが旧紙幣回収モードに設定されているということは、出金した紙幣が万円紙幣である場合、その紙幣は紙幣収納カセット１４ｂから繰出されたものであるということで、このとき紙幣収納カセット１４ａは旧万円紙幣回収カセットとして運用されているということであり、紙幣取引モードを通常取引モードに切替えるということは、紙幣収納カセット１４ａ内の旧万円紙幣を出金に運用できるように変更するということである。
【００４９】
このようにして紙幣取引モードを通常取引モードに切替え、当該出金取引を終了する。
尚、上記の処理は万円紙幣を例にしたものであるが、千円紙幣についても同様に処理を行うことができる。
【００５０】
以上説明したように、第３の実施例では、第１の実施例と同様の効果が得られる他、以下の効果も得られる。すなわち、この第３の実施例では、紙幣取引モードが旧紙幣回収モードであるとき、紙幣を出金した紙幣収納カセットが空になった場合、旧万円紙幣回収カセットとして運用されている紙幣収納カセット内の旧万円紙幣を出金に運用できるように紙幣取引モードを通常取引モードに切替えるようにしているため、装置内の紙幣をより有効に利用できるという効果が得られる。
【００５１】
尚、上述した第１〜第３の実施例では、同一金種の新紙幣の出金の割合で、紙幣取引モードを通常モードから旧紙幣回収モードに切替えるものとしたが、すべての金種の合計の新紙幣の出金の割合で、紙幣取引モードを通常モードから旧紙幣回収モードに切替えるものとしてもよく、また紙幣取引モードを通常モードから新紙幣を回収する新紙幣回収モードに切替えるようにすることも可能である。
【００５２】
また、上述した第１〜第３の実施例では、紙幣収納カセット１４ａ〜１４ｄに対して直接紙幣を補充、回収できる自動取引装置を図示して説明したが、補充回収カセットにより紙幣収納カセット１４ａ〜１４ｄに対して紙幣の補充、回収を行う自動取引装置であっても同様の処理を行うことが可能であり、更に紙幣は日本の紙幣に限られるものではなく、外国の紙幣であっても同様に処理を行うことが可能である。
【符号の説明】
【００５３】
１    制御部
２    記憶部
３    係員操作部
４    顧客操作表示部
５    カード・レシート取扱部
６    通帳取扱部
７    紙幣入出金機
８    硬貨入出金機
１１  紙幣入出金口
１２  鑑別部
１３  一時保留部
１４ａ〜１４ｄ  紙幣収納カセット
１５  取忘れ紙幣収納部
１６  損券収納カセット
１７  搬送路
【図１】
0005480040.tif 000002
【図２】
0005480040.tif 000003
【図３】
0005480040.tif 000004
【図４】
0005480040.tif 000005
【図５】
0005480040.tif 000006
【図６】
0005480040.tif 000007
【図７】
0005480040.tif 000008